(57)【要約】【課題】記録媒体の端縁から外側にはみ出したインクをプラテンに十分に染み込ませることができるインクジェット式記録装置およびインクジェット式記録方法を提供する。【解決手段】インクジェット式記録装置１０は、記録ヘッド１１をガイド軸１２に沿って移動して、記録ヘッド１１からインク１４を吐出させることで記録用紙１３に縁無し印刷を行う際に、記録用紙１３の外側にはみ出したインク１４をプラテン１５に染み込ませるように構成され、プラテン１５に特定の固体保湿剤が含浸されている。【選択図】  図１
2005014425.tif 000002
【特許請求の範囲】
【請求項１】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、
前記プラテンに融点が２０℃以上で、かつ２０℃における水への溶解度が５重量％以上の固体保湿剤が含浸されたことを特徴とするインクジェット式記録装置。
【請求項２】
前記固体保湿剤として、アルコール類、エステル類、窒素化合物、糖類からなる群から選ばれる少なくとも一種類を含むことを特徴とする請求項１に記載のインクジェット式記録装置。
【請求項３】
前記固体保湿剤と共に、さらに２０℃における蒸気圧が０．１ｍｍＨｇ以下であるポリオールを少なくとも一種類を含むことを特徴とする請求項１あるいは２に記載のインクジェット式記録装置。
【請求項４】
着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、
あらかじめ前記プラテンに融点が２０℃以上で、かつ２０℃における水への溶解度が５重量％以上の固体保湿剤を含浸させておくことを特徴とするインクジェット式記録方法。
【請求項５】
前記固体保湿剤として、アルコール類、エステル類、窒素化合物、糖類からなる群から選ばれる少なくとも一種類を含むことを特徴とする請求項３に記載のインクジェット式記録方法。
【請求項６】
前記固体保湿剤と共に、さらに２０℃における蒸気圧が０．１ｍｍＨｇ以下であるポリオールを少なくとも一種類を含むことを特徴とする請求項４あるいは５に記載のインクジェット式記録方法。
【発明の詳細な説明】
【０００１】
【発明の属する技術分野】
本発明はインクジェット式記録装置およびインクジェット式記録方法に関し、特に記録ヘッドをガイド軸に沿って移動して、記録ヘッドから顔料インクを吐出させることで記録媒体に縁無し印刷を行うインクジェット式記録装置およびインクジェット式記録方法に関する。
【０００２】
【従来の技術】
記録媒体における前後左右それぞれの端縁の余白をゼロにして印刷できるインクジェット式記録装置が開示されている（例えば、特許文献１、特許文献２）。この公報に開示された記録装置によると、キャリッジに搭載された記録ヘッドの走査範囲を、記録媒体における左右の両端縁より外側に外れる位置まで移動するように設定して印刷動作を実行するように構成されている。
【０００３】
このインクジェット式記録装置で印刷を行う際には、図５（Ａ）に示すように、記録媒体としての記録用紙１００が矢印Ａの副走査方向に搬送され、記録用紙１００の前縁１００Ａが記録ヘッド１０１の下方に到達したとき、キャリッジが矢印Ｂの主走査方向に沿って往復動するとともに、記録ヘッド１０１からインク１０２を吐出させて記録用紙１００への印刷を開始する。
【０００４】
この際、記録用紙１００における前縁１００Ａの余白をゼロにして印刷を行うために、記録用紙１００の前縁１００Ａから外側にインク１０２をはみ出させる。
【０００５】
この状態から記録用紙１００が矢印Ａの副走査方向に搬送されることにより、図５（Ｂ）の状態になると、記録用紙１００における側縁１００Ｂの余白をゼロにして印刷を行うために、矢印Ｂの主走査方向に沿うキャリッジの往復動距離を適宜調整することにより、記録用紙１００の側縁１００Ｂから外側にインク１０２をはみ出させる。
【０００６】
さらに、この状態から記録用紙１００が矢印Ａの副走査方向に搬送されることにより、図５（Ｃ）の状態になると、記録用紙１００における後縁１００Ｃの余白をゼロにして印刷を行うために、記録用紙１００の後縁１００Ｃから外側にインク１０２をはみ出させる。
【０００７】
【特許文献１】
特開平７−９７１２号公報
【特許文献２】
特開平８−１６９１５５号公報
【０００８】
【発明が解決しようとする課題】
ここで、記録用紙１００の前縁１００Ａ、側縁１００Ｂや後縁１００Ｃから外側にはみ出したインク１０２は、図６に示すプラテン１０４に染み込ませる。例えば特許文献１では、プラテン１０４にインク吸収体として多孔質セラミック等を用いることが示されている。従来は、この構成で縁無し印刷を行う際に顔料インクを用いた場合、特に夏季等で室温が上昇した使用環境下では顕著に、プラテン１０４上に吐出された顔料インク１０２中の水分が蒸発して、顔料分が析出していた。
【０００９】
このため、図７に示すように顔料インク１０２をプラテン１０４に十分に染み込ませることができない場合があり、図８に示すようにプラテン１０４の表面にインク（顔料）１０２が堆積（以下、「山積り１０５」という）する場合があった。
【００１０】
このように、プラテン１０４の表面に山積り１０５が発生すると、次の記録用紙１００に印刷する際に、山積り１０５に記録用紙１００の端面が接触して、記録用紙１００の端面が汚れてしまうことが考えられる。
【００１１】
本発明は、前述した問題点に鑑みてなされたものであり、その目的は、記録媒体の端縁から外側にはみ出したインクをプラテンに十分に染み込ませることができる顔料インクを用いたインクジェット式記録装置およびインクジェット式記録方法を提供することにある。
【００１２】
【課題を解決するための手段】
前述した目的を達成するために、本発明のインクジェット式記録装置は、請求項１に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録装置において、前記プラテンに融点が２０℃以上で、かつ２０℃における水への溶解度が５重量％以上の固体保湿剤が含浸されたことを特徴としている。
ここで挙げている固体保湿剤は、インクに対して浸透性を向上させる作用がある。従って、このように構成されたインクジェット式記録装置においては、プラテンにこのような固体保湿剤を含浸させると、顔料インクがプラテンにさらに染み込み易くなる。
また、これら固体保湿剤は、顔料に対して親和性があり、顔料の凝集を緩和する作用もある。よって、特に夏季等で室温が上昇した場合に顔料インクから水分が蒸発してインク中の顔料濃度が上昇しても、顔料分の析出を抑制してプラテンに十分に効率よく染み込ませることができる。
【００１３】
また、本発明のインクジェット式記録装置は、好ましい態様として、請求項２に記載したように、前記固体保湿剤として、アルコール類、エステル類、窒素化合物、糖類からなる群から選ばれる少なくとも一種類を含むことを特徴とする。
【００１４】
このように構成されたインクジェット式記録装置においては、プラテンに上記のような固体保湿剤を含浸させて、記録媒体の外側にはみ出した顔料インクをプラテンに効率よく染み込ませるようにしている。よって、特に夏季等で室温が上昇した場合に、プラテン上に吐出された顔料インクから水分が蒸発してインク中の顔料濃度が上昇しても、顔料分の析出を抑制してプラテンに十分に染み込ませることができる。
従って、プラテンの表面に顔料インクが山積りになることを阻止できるので、後続の記録媒体が山積りに接触することを防いで記録媒体が汚れてしまうことを防止できる。
【００１５】
さらに、本発明のインクジェット式記録装置は、好ましい態様として、請求項３に記載したように、前記固体保湿剤と共に、さらに２０℃における蒸気圧が０．１ｍｍＨｇ以下であるポリオールを少なくとも一種類を含むことを特徴とする。
【００１６】
このように構成されたインクジェット式記録装置においては、プラテンに上記のような固体保湿剤と共に特定のポリオールを含浸させて、記録媒体の外側にはみ出した顔料インクをプラテンに効率よく染み込ませるようにしている。ここで挙げているポリオールは、前記の固体保湿剤と併用することにより、インクの乾燥性をさらに抑制する作用をもつ。よって、特に夏季等で室温が上昇した場合に顔料インクから水分が蒸発してインク中の顔料濃度が上昇しても、顔料分の析出を抑制してプラテンに十分に効率よく染み込ませることができる。
従って、プラテンの表面に顔料インクが山積りになることを阻止できるので、後続の記録媒体が山積りに接触することを防いで記録媒体が汚れてしまうことを防止できる。
【００１７】
一方、本発明のインクジェット式記録方法は、請求項４に記載したように、着色剤に顔料を用いたインクを用い、記録ヘッドをガイド軸に沿って移動して、記録ヘッドから顔料インクを吐出させることで記録媒体に縁無し印刷を行う際に、記録媒体の外側にはみ出した顔料インクをプラテンに染み込ませるインクジェット式記録方法において、あらかじめ前記プラテンに融点が２０℃以上で、かつ２０℃における水への溶解度が５重量％以上の固体保湿剤を含浸させておくことを特徴としている。
このように構成された顔料インクを用いたインクジェット式記録方法においては、プラテンに上記のような固体保湿剤をあらかじめ含浸させて、記録媒体の外側にはみ出した顔料インクをプラテンに効率よく染み込ませるようにしている。よって、特に夏季などで室温が上昇した場合に、プラテン上に吐出された顔料インクから水分が蒸発してインク中の顔料濃度が上昇しても、顔料分の析出を抑制してプラテンに十分に染み込ませることができる。
従って、プラテンの表面に顔料インクが山積りになることを阻止できるので、後続の記録媒体が山積りに接触することを防いで記録媒体が汚れてしまうことを防止できる。
【００１８】
また、本発明のインクジェット式記録方法は、好ましい態様として、請求項５に記載したように、前記固体保湿剤として、アルコール類、エステル類、窒素化合物、糖類からなる群から選ばれる少なくとも一種類を含むことを特徴とする。
【００１９】
さらに、本発明のインクジェット式記録方法は、好ましい態様として、請求項６に記載したように、前記固体保湿剤と共に、さらに２０℃における蒸気圧が０．１ｍｍＨｇ以下であるポリオールを少なくとも一種類を含むことを特徴とする。
【００２０】
【発明の実施の形態】
以下、本発明に係る実施形態を図面に基づいて詳細に説明する。なお、以下に説明する各実施形態において、既に図５、７および８において説明した部材等については、図中に同一符号あるいは相当符号を付すことにより説明を簡略化あるいは省略する。
【００２１】
図１および図２に示すように、本発明に係る顔料インクを用いたインクジェット式記録装置１０は、記録ヘッド１１をガイド軸１２に沿って矢印Ｂの主走査方向に移動して、記録ヘッド１１からインクを吐出させることで記録用紙（記録媒体）１３に縁無し印刷を行う際に、記録用紙１３の外側にはみ出したインク１４をプラテン１５に染み込ませるように構成されている。
【００２２】
記録ヘッド１１にはキャリッジ１６が設けられ、このキャリッジ１６がガイド軸１２に移動自在に支持されている。これにより、記録ヘッド１１をガイド軸１２に沿って矢印Ｂの主走査方向に走査することができる。
インクとしては着色剤に顔料を用いたものが使用される。
キャリッジ１６にはブラックインクカートリッジ１７やカラーインクカートリッジ１８が着脱自在に装填されている。ブラックインクカートリッジ１７の先端は記録ヘッド１１のノズル１１Ａに連通されている。
【００２３】
また、カラーインクカートリッジ１８にはシアンのカートリッジ１８Ａ、マゼンタのカートリッジ１８Ｂおよびイエローのカートリッジ１８Ｃが備えられ、それぞれのカートリッジ１８Ａ、１８Ｂ、１８Ｃの先端は記録ヘッド１１の各ノズル１１Ｂ、１１Ｃ、１１Ｄに連通されている。
【００２４】
ガイド軸１２の下方には、プラテン１５がガイド軸１２に平行に配置されている。プラテン１５は、一例として発泡性樹脂が該当するが、布、綿やスポンジ等のその他の材料を使用することも可能である。
【００２５】
このプラテン１５には、一方の端部１５Ａから他方の端部１５Ｂに渡って全域に固体保湿剤が含浸されている。固体保湿剤としては、融点が２０℃以上で、かつ２０℃における水への溶解度が５重量％以上のものが該当し、アルコール類、エステル類、窒素化合物、糖類からなる群から選ばれる少なくとも一種類を含むことが好ましい。このような固体保湿剤は室温（概ね２０℃）付近では固体としてプラテン１５内に存在し、揮発してなくなることがない。従って、長期間に渡ってその効果を維持することができるため、好ましい。
これらの固体保湿剤であるアルコール類、エステル類、窒素化合物、糖類は、それぞれ一種類のみをプラテン１５に含浸させてもよいし、二種類以上を混合して含浸させてもよい。
【００２６】
該固体保湿剤のうち、アルコール類として詳しくは、１，４−ブタンジオール、２，３−ブタンジオール、２−エチル−２−（ヒドロキシメチル）−１，３−プロパンジオール等が挙げられる。
また、エステル類として詳しくは、炭酸エチレン等が挙げられる。
また、窒素化合物として詳しくは、アセトアミド、Ｎ−メチルアセトアミド、２−ピロリドン、ε−カプロラクタム、尿素、チオ尿素、Ｎ−エチル尿素等が挙げられる。
また、糖類として詳しくは、ジヒドロキシアセトン、エリトリトール、Ｄ−アラビノース、Ｌ−アラビノース、Ｄ−キシロース、２−デオキシ−β−Ｄ−リボース、Ｄ−リキソース、Ｌ−リキソース、Ｄ−リボース、Ｄ−アラビトール、リビトール、Ｄ−アルトロース、Ｄ−アロース、Ｄ−ガラクトース、Ｌ−ガラクトース、Ｄ−キノボース、Ｄ−グルコース、Ｄ−ジギタロース、Ｄ−ジギトキソース、Ｄ−シマロース、Ｌ−ソルボース、Ｄ−タガトース、Ｄ−タロース、２−デオキシ−Ｄ−グルコース、Ｄ−フコース、Ｌ−フコース、Ｄ−フルクトース、Ｄ−マンノース、Ｌ−ラムノース、Ｄ−イノシトール、ｍｙｏ−イノシトール、Ｄ−グルシトール、Ｄ−マンニトール、メチル＝Ｄ−ガラクトピラノシド、メチル＝Ｄ−グルコピラノシド、メチル＝Ｄ−マンノピラノシド、Ｎ−アセチルキトビオース、イソマルトース、キシロビオース、ゲンチオビオース、コージビオース、コンドロシン、スクロース、セロビオース、ソホロース、α，α−トレハロース、マルトース、メリビオース、ラクトース、ラミナリビオース、ルチノース、ゲンチアノース、スタキオース、セロトリオース、プランテオース、マルトトリオース、メレジトース、ラクト−Ｎ−テトラオース、ラフィノース等が挙げられる。
【００２７】
以上述べた固体保湿剤は、融点以上まで加熱溶融させた状態あるいは水との混合液状態のどちらの形態でも、共にプラテン１５へ含浸させることができる。また、二種類以上を混合して用いる場合、その混合比率はプラテン１５への含浸作業性・用いる顔料インク種類等に応じて適宜決定されてよい。
【００２８】
さらに、上記の固体保湿剤と共に、２０℃における蒸気圧が０．１ｍｍＨｇ以下であるポリオールを少なくとも一種類を含むことが好ましい。このようなポリオールをさらに含むことによりプラテン１５上に吐出されたインクの乾燥がより抑制され、特に夏季などで室温が上昇した場合にプラテン１５上に吐出された顔料インクから水分が蒸発してインク中の顔料濃度が上昇しても、顔料分の析出を抑制してプラテン１５に十分に染み込ませることができる。
【００２９】
前記ポリオールとしては、保湿性や吸湿性が高く、蒸発気化し難いものが好ましい。
具体的には、グリセリン、エチレングリコール、ジエチレングリコール、トリエチレングリコール、テトラエチレングリコール、１，３−プロパンジオール、１，３−ブタンジオール、１，４−ブタンジオール、２，３−ブタンジオール、１，５−ペンタンジオール、２−ブテン−１，４−ジオール、１，６−ヘキサンジオール、２−メチル−２，４−ペンタンジオール、２−エチル−１，３−ヘキサンジオール、１，２，６−ヘキサントリオール、プロピレングリコール、ジプロピレングリコール、トリプロピレングリコール、ポリエチレングリコール等の多価アルコール類等が挙げられる。
【００３０】
このポリオールを上記の固体保湿剤と併用する際の混合比率は、プラテン１５への含浸作業性・用いる顔料インク種類等に応じて適宜決定されてよい。
【００３１】
この顔料インクを用いたインクジェット式記録装置１０によれば、キャリッジ１６をガイド軸１２に沿って矢印Ｂの主走査方向に移動させることにより、記録ヘッド１１をガイド軸１２に沿って走査し、併せて記録用紙１３を記録ヘッド１１の走査方向に直交する副走査方向（矢印Ａ）へ紙送りする際に、それぞれのカートリッジ１７、１８Ａ〜１８Ｃから各ノズル１１Ａ〜１１Ｂを介してインクを吐出することにより記録用紙１３に印刷を行うことができる。
【００３２】
次に、顔料インクを用いたインクジェット式記録装置１０のインクジェット式記録方法を図２〜図４に基づいて説明する。
顔料インクを用いたインクジェット式記録装置１０で印刷を行う際には、図２（Ａ）に示すように、矢印Ａの副走査方向に搬送されて記録用紙１３の先端１３Ａが記録ヘッド１１の下方に到達したとき、キャリッジが矢印Ｂの主走査方向に沿って往復動するとともに、記録ヘッド１１から顔料インク１４を吐出させて記録用紙１３への印刷を開始する。この際、記録用紙１３における前縁１３Ａの余白をゼロにして印刷を行うために、記録用紙１３の前縁１３Ａから外側に顔料インク１４をはみ出させる。
この状態から記録用紙１３が矢印Ａの副走査方向に搬送されることにより、図２（Ｂ）の状態になると、記録用紙１３における側縁１３Ｂの余白をゼロにして印刷を行うために、矢印Ｂの主走査方向に沿うキャリッジの往復動距離を適宜調整することにより、記録用紙１３の側縁１３Ｂから外側１４に顔料インクをはみ出させる。
さらに、この状態から記録用紙１３が矢印Ａの副走査方向に搬送されることにより、図２（Ｃ）の状態になると、記録用紙１３における後縁１３Ｃの余白をゼロにして印刷を行うために、記録用紙１３の後縁１３Ｃから外側に顔料インク１４をはみ出させる（図３参照）。
【００３３】
ここで、記録用紙１３の前縁１３Ａ、側縁１３Ｂや後縁１３Ｃから外側にはみ出した顔料インク１４は、図３に示すプラテン１５に染み込ませる。プラテン１５には、一方の端部１５Ａから他方の端部１５Ｂに渡って全域に、上述した固体保湿剤が、必要であればさらにポリオールを併用したものが含浸されている。
【００３４】
このため、図４に示すように、記録用紙１３の前縁１３Ａ、側縁１３Ｂや後縁１３Ｃから外側にはみ出した顔料インク１４をプラテン１５に効率よく染み込ませることができる。よって、顔料インクを用いたインクジェット式記録装置１０の使用環境が、特に夏季等で室温が上昇した場合に、プラテン上に吐出された顔料インクから水分が蒸発して顔料濃度が上昇しても、顔料分の析出を抑制して顔料インク１４をプラテン１５に十分に染み込ませることができる。
【００３５】
従って、従来技術のように、プラテン１５の表面にインク（顔料）が山積りになることを防止できる。これにより、次の記録用紙１３に印刷する際に、山積りに記録用紙１３の端面が接触して、記録用紙１３の端面が汚れてしまうことを防止できる。
【００３６】
また、プラテン１５には、一方の端部１５Ａから他方の端部１５Ｂに渡って全域に固体保湿剤を、必要であればさらにポリオールを併用したものを含浸させている。このため、記録用紙１３の前縁１３Ａ、側縁１３Ｂや後縁１３Ｃからプラテン１５に染み込んだインクを、プラテン１５の一方の端部１５Ａから他方の端部１５Ｂの全域に染み込ませることができる。従って、プラテン１５に多量の顔料インクを染み込ませることができるので、プラテン１５を交換するサイクルを延ばすことができる。
【００３７】
なお、前記実施形態では、記録媒体として記録用紙１３を例に説明したが、これに限らないで、その他の記録媒体に適用することも可能である。
さらに、本発明は、前述した実施形態に限定されるものでなく、適宜な変形，改良等が可能であり、前述した実施形態において例示した記録ヘッド，ガイド軸およびプラテン等の材質，形状，寸法，形態，数，配置個所，厚さ寸法等は本発明を達成できるものであれば任意であり、限定されない。
【００３８】
次に、実施例１〜１４と比較例１〜２について説明する。
【００３９】
実施例１〜１４および比較例１〜２のプラテン１５として、ウレタンフォームを使用した。
【００４０】
また、実施例１〜１４および比較例１〜２の顔料インクとして、ブラックインクカートリッジ１７にブラック顔料インク、シアンのカートリッジ１８Ａにシアン顔料インク、マゼンタのカートリッジ１８Ｂにマゼンタ顔料インク、イエローのカートリッジ１８Ｃにイエロー顔料インクをそれぞれ充填した。
【００４１】
ブラック顔料インクは、カーボンブラックを６重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００４２】
また、マゼンタ顔料インクは、Ｃ．Ｉ．ピグメントレッド１２２を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００４３】
さらに、シアン顔料インクは、Ｃ．Ｉ．ピグメントブルー１５：３を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００４４】
また、イエロー顔料インクは、Ｃ．Ｉ．ピグメントイエロー７４を５重量％、グリセリンを１５重量％、トリエチレングリコールモノブチルエーテルを５重量％、オルフィンＥ１０１０（商品名、アセチレングリコール系界面活性剤、日信化学工業株式会社製）を１重量％、トリエタノールアミンを１重量％、残りを純水とすることで１００重量％としたものを使用した。
【００４５】
一方、実施例１〜１２には以下に示す固体保湿剤を含浸させたプラテン１５を使用し、比較例１には固体保湿剤を含浸させないプラテン１５を、比較例２には純水を含浸させたプラテン１５を使用した。
【００４６】
（実施例１）
固体保湿剤として、アルコール類である２−エチル−２−（ヒドロキシメチル）−１，３−プロパンジオールを５０重量％、残りを純水とした混合液を用いた。
【００４７】
（実施例２）
固体保湿剤として、エステル類である炭酸エチレンを１０重量％、残りを純水とした混合液を用いた。
【００４８】
（実施例３）
固体保湿剤として、窒素化合物である２−ピロリドンを融点以上に加熱して溶融状態にして用いた。
【００４９】
（実施例４）
固体保湿剤として、窒素化合物である尿素を２０重量％、残りを純水とした混合液を用いた。
【００５０】
（実施例５）
固体保湿剤として、糖類であるＤ−マンノースを１５重量％、残りを純水とした混合液を用いた。
【００５１】
（実施例６）
固体保湿剤として、糖類であるスクロースを２０重量％、残りを純水とした混合液を用いた。
【００５２】
（実施例７）
固体保湿剤として、糖類であるマルトースを５重量％、残りを純水とした混合液を用いた。
【００５３】
（実施例８）
固体保湿剤として、糖類であるラクトースを１５重量％、残りを純水とした混合液を用いた。
【００５４】
（実施例９）
固体保湿剤として、アルコール類である２−エチル−２−（ヒドロキシメチル）−１，３−プロパンジオールを１０重量％、窒素化合物として２−ピロリドンを１０重量％、残りを純水とした混合液を用いた。
【００５５】
（実施例１０）
固体保湿剤として、窒素化合物である尿素を２０重量％、糖類であるスクロースを１０重量％、残りを純水とした混合液を用いた。
【００５６】
（実施例１１）
固体保湿剤として、アルコール類である２−エチル−２−（ヒドロキシメチル）−１，３−プロパンジオールを１０重量％、糖類としてＤ−マンノースを５重量％、残りを純水とした混合液を用いた。
【００５７】
（実施例１２）
固体保湿剤として、アルコール類である２−エチル−２−（ヒドロキシメチル）−１，３−プロパンジオールを１０重量％、エステル類である炭酸エチレンを１０重量％、窒素化合物としてε−カプロラクタムを１０重量％、糖類としてマルトースを１０重量％、残りを純水とした混合液を用いた。
【００５８】
（実施例１３）
固体保湿剤として、アルコール類である２−エチル−２−（ヒドロキシメチル）−１，３−プロパンジオールを３０重量％、ポリオールとしてグリセリンを３０重量％、残りを純水とした混合液を用いた。
【００５９】
（実施例１４）
固体保湿剤として、アルコール類である２−エチル−２−（ヒドロキシメチル）−１，３−プロパンジオールを１０重量％、エステル類である炭酸エチレンを１０重量％、窒素化合物としてε−カプロラクタムを１０重量％、糖類としてマルトースを１０重量％、ポリオールとして２−メチル−２，４−ペンタンジオールを１０重量％、残りを純水とした混合液を用いた。
【００６０】
以上のプラテン１５を用いて、該プラテン１５に対して塗布量２００ｇ／ｍ２で均一に塗布した。インクジェット式記録装置として、ＥＭ−９３０Ｃ（商品名、セイコーエプソン株式会社製）の金属製プラテンの代わりに上記の含浸済みウレタンフォームを通紙とのギャップ２ｍｍの位置に装着して、Ａ４サイズ（２１０ｍｍ×２９７ｍｍ）の記録媒体に対して２３０ｍｍ×２９７ｍｍの画像データを送り、４０℃／２０％ＲＨ環境下において、１００万パス縁無し印刷を行った。その結果、実施例１〜１４ではインク（顔料）の山積りの発生がなく、印刷物を汚すことを防止できた。一方、比較例１および２ではインク（顔料）の山積りが発生し、印刷物が汚れてしまった。
このことから、インク（顔料）の山積りの発生をなくすためには、プラテン１５に本発明で挙げるような浸透性成分を含浸させると効果があることが判った。
【００６１】
さらに、実施例１３、１４においては、パス数を１５０万パスまで延長した以外は上記と同様の条件で縁無し印刷を行っても、インク（顔料）の山積りの発生がなく、印刷物を汚すことを防止できたという格別な効果があった。
このことから、本発明で挙げるような固体保湿剤と共に、２０℃における蒸気圧が０．１ｍｍＨｇ以下のポリオールを併用したものをプラテン１５に含浸させると、さらにインク（顔料）の山積りの発生をなくすための効果があることが判った。
【００６２】
【発明の効果】
以上、説明したように、本発明によれば、プラテンに固体保湿剤を含浸させているので、特に夏季等で室温が上昇した場合に、プラテン上に吐出された顔料インクから水分が蒸発してインク中の顔料濃度が上昇しても、顔料分の析出を抑制してプラテンに十分に効率よく染み込ませることができる。
【００６３】
従って、従来技術のように、プラテンの表面にインク（顔料）が山積りになることを防止できる。これにより、次の記録媒体に印刷する際に、山積りに記録媒体の端面が接触して、記録媒体の端面が汚れてしまうことを防止できる。
【図面の簡単な説明】
【図１】本発明に係るインクジェット式記録装置を示す概略図である。
【図２】本発明に係るインクジェット式記録方法を示す説明図である。
【図３】本発明に係るインクジェット式記録方法を示す説明図である。
【図４】本発明に係るインクジェット式記録方法を示す説明図である。
【図５】従来のインクジェット式記録方法を示す説明図である。
【図６】従来のインクジェット式記録方法を示す説明図である。
【図７】従来のインクジェット式記録方法を示す説明図である。
【図８】従来のインクジェット式記録方法を示す説明図である。
【符号の説明】
１０  インクジェット式記録装置
１１  記録ヘッド
１２  ガイド軸
１３  記録用紙（記録媒体）
１４  インク
１５  プラテン
【図１】
2005014425.tif 000003
【図２】
2005014425.tif 000004
【図３】
2005014425.tif 000005
【図４】
2005014425.tif 000006
【図５】
2005014425.tif 000007
【図６】
2005014425.tif 000008
【図７】
2005014425.tif 000009
【図８】
2005014425.tif 000010